(57)【要約】【課題】  電気掃除機を充電する際に、電源プラグに負荷がかかることをできるだけ回避する。【解決手段】  使用者が持つための把手部３を有し、把手部３の上面側には使用者が操作を行うための操作部１７が配置され、把手部３の裏面側には、電源プラグ３３を挿入するための電源孔３１と、当該電源孔３１を含むように形成された電源溝部３０と、が形成されており、電気掃除機を壁にもたれかけた状態でバッテリを充電する際に、電源プラグが壁に当たるといった事態をできるだけ回避することが可能である。【選択図】  図２０
2020081060.tif 000002
【特許請求の範囲】
【請求項１】
使用者が持つための把手部を有し、
前記把手部の上面側には使用者が操作を行うための操作部が配置され、
前記把手部の裏面側には、電源プラグを挿入するための電源孔と、当該電源孔を含むように形成された電源溝部と、が形成されている電気掃除機。
【請求項２】
前記電源溝部は、前記把手部が延在する方向と垂直な方向に延在している、請求項１に記載の電気掃除機。
【請求項３】
前記電源溝部は、前記把手部の延在する方向と垂直な方向の前記把手部の断面上で表現される仮想円上に形成されている、請求項１または２に記載の電気掃除機。
【請求項４】
前記把手部の左右側面には、使用者の指の少なくとも１部分が食い込むことが可能な溝部が形成されており、前記溝部と前記電源溝部とは、同一の前記仮想円上に形成されている、請求項３に記載の電気掃除機。
【請求項５】
前記把手部は、当該把手部の前方から後方に向けて、塵を収容するための集塵部、吸引風を発生するための吸引モーター、当該吸引モーターを駆動するための電源部、を有している、請求項１〜４のいずれか１項に記載の電気掃除機。
【請求項６】
前記電源溝部は、前記電源部が配された部位の前記把手部の裏面側に形成されている、請求項５に記載の電気掃除機。
【請求項７】
前記把手部と接続可能な延長管と、当該延長管と接続可能な吸込具と、を有する請求項１〜６のいずれか１項に記載の電気掃除機。
【発明の詳細な説明】
【技術分野】
【０００１】
本発明は、電気掃除機に関する。
【背景技術】
【０００２】
延長パイプの先端に吸込具が接続され、一方他端には使用者が持つための把手部が設けられた掃除機、所謂スティックタイプの掃除機に関する技術が数多く公開されている（例えば、特許文献１）。
【０００３】
また、吸込口体の長手方向の一端に相当する面に、吸込み口体と吸込パイプとを連結した電気掃除機が公開されている（特許文献２）。
【先行技術文献】
【特許文献】
【０００４】
【特許文献１】特開平４−１２２３４６号公報
【特許文献２】特開２０１６−２１４５０８号公報
【発明の概要】
【発明が解決しようとする課題】
【０００５】
しかしながら、特許文献２に記載の掃除機では、図１５に示すようにコードレスタイプの充電式電気掃除機が開示されているものの、電気掃除機内のバッテリを充電する際に電源アダプターのプラグに負荷がかからないようにすることについては考慮されていない。
【課題を解決するための手段】
【０００６】
本発明は、使用者が持つための把手部を有し、前記把手部の下面側には、電源プラグを挿入するための電源孔と、当該電源孔を含むように形成された電源溝部と、が形成されている電気掃除機である。
【発明の効果】
【０００７】
本発明では、把手部の下面側には、電源プラグを挿入するための電源孔と、電源孔を含むように形成された電源溝部とが形成されているため、電気掃除機を壁に立てかけて充電する際に、電源プラグが壁に当たることをできるだけ回避することができる。
【図面の簡単な説明】
【０００８】
【図１】本実施例の電気掃除機の側面図である。
【図２】本実施例の吸込具の側面図である。
【図３】本実施例の吸込具の天面図である。
【図４】本実施例の吸込具の底面図である。
【図５】本実施例の吸込具の斜視図である。
【図６】本実施例の吸込具の斜視図である。
【図７】本実施例の吸込具の斜視図である。
【図８】本実施例の吸込具の斜視図である。
【図９】本実施例の吸込具の断面図である。
【図１０】本実施例の電気掃除機の側面図である。
【図１１】把手部を矢印Ｅ方向に回転させた状態の電気掃除機の斜視図である。
【図１２】把手部を矢印Ｆ方向に回転させた状態の電気掃除機の斜視図である。
【図１３】把手部と吸込具を回転させる際の吸込具の動作を示す斜視図である。
【図１４】把手部と吸込具を回転させる際の吸込具の動作を示す斜視図である。
【図１５】把手部と吸込具を回転させる際の吸込具の動作を示す斜視図である。
【図１６】把手部の斜視図である。
【図１７】使用者が把手部を持った状態を示す斜視図である。
【図１８】把手部の断面図である。
【図１９】把手部の平面図である。
【図２０】把手部の底面図である。
【図２１】把手部の斜視図である。
【図２２】図１９中左方向から見た把手部の左側面図である。
【図２３】図１９中右方向から見た把手部の右側面図である。
【図２４】電気掃除機本体を壁等に立て掛けた際の側面図である。
【図２５】前方部の斜視図である。
【図２６】前方部の斜視図である。
【図２７】前方部の斜視図である。
【図２８】中間部及び後方部の斜視図である。
【図２９】把手部を後方から見た斜視図である。
【発明を実施するための形態】
【０００９】
以下、本発明の実施の形態について、図面を参照しながら説明する。なお、以下の説明では、同一または相当部分には同一符号を付し、重複する説明は省略する。また、本実施の形態によって、本発明が限定されるものではない。  第１の実施態様は、使用者が持つための把手部を有し、前記把手部の上面側には使用者が操作を行うための操作部が配置され、前記把手部の裏面側には、電源プラグを挿入するための電源孔と、当該電源孔を含むように形成された電源溝部と、が形成されている電気掃除機である。
【００１０】
第２の実施態様は、電源溝部は、把手部が延在する方向と垂直な方向に延在している電気掃除機である。
【００１１】
第３の実施態様は、電源溝部は、把手部の延在する方向と垂直な方向の把手部の断面上で表現される仮想円上に形成されている電気掃除機である。
【００１２】
第４の実施態様は、把手部の左右側面には、使用者の指の少なくとも１部分が食い込むことが可能な溝部が形成されており、溝部と電源溝部とは、同一の前記仮想円上に形成されている電気掃除機である。
【００１３】
第５の実施態様は、把手部は、把手部の前方から後方に向けて、塵を収容するための集塵部、吸引風を発生するための吸引モーター、吸引モーターを駆動するための電源部、を有している電気掃除機である。
【００１４】
第６の実施態様は、電源溝部は、電源部が配された部位の把手部の裏面側に形成されている電気掃除機である。
【００１５】
第７の実施態様は、把手部と接続可能な延長管と、延長管と接続可能な吸込具と、を有する電気掃除機である。
【００１６】
（実施例）
以下、本実施例における吸込具と電気掃除機について説明する。
【００１７】
図１は、本実施例の電気掃除機の斜視図である。本実施例の電気掃除機は、延長管１の先端に吸込具２が接続されており、一方、延長管１の後端には使用者が持って操作するための把手部３が接続されている。使用者は把手部３を持って電気掃除機を移動させることができる。
【００１８】
尚、延長管１は伸縮自在な形状でも、伸縮できない形状でも良い。また、本実施例では延長管１の長さを約６５ｃｍとしているが、延長管１の長さはこの長さに限らない。延長管１の長さの他の例としては、例えば２５〜５０ｃｍといった極端に短い延長管１としても良い。
【００１９】
延長管１の材料としては、例えばアルミニウム合金、ＡＢＳ樹脂、ＰＰ（ポリプロピレン）であり、吸込具２筐体の材料としては例えばＡＢＳ樹脂、ＰＰ（ポリプロピレン）、ＰＣ（ポリカーボネート）であり、把手部３筐体の材料としては例えばＡＢＳ樹脂、ＰＰ（ポリプロピレン）、ＰＣ（ポリカーボネート）等が使用される。尚、これらの材料は一例であり、これに限定されるものではない。
【００２０】
吸込具２の裏面側には、塵埃を吸込むための吸込口が形成されており、把手部３内部には、電源部と吸引モーターと集塵部が配置され、更に、把手部３表面には、吸引モーターの駆動をオン又はオフするための電源ボタン等が配置されている。
【００２１】
使用者が電源ボタンを操作することにより、吸引モーターが駆動し、吸引モーターにより発生した吸引風により、吸込具２の裏面側に形成された吸込口から塵埃を吸引し、吸引された塵埃が延長管１を通って集塵部に収容される。
【００２２】
尚、集塵部には集塵袋を設けても良いし、或いはサイクロン式の集塵部を設けても良い。
【００２３】
図２は、図１に示す吸込具２の側面図である。本実施例の吸込具２は、吸込具本体４と、吸込具本体４の後方に回転可能に接続された回転体５と、回転体５に対して回転可能に遊嵌された延長管接続部６と、を有している。また、この延長管接続部６に延長管１が着脱自在に接続される。
【００２４】
図２に示す吸込具２は、吸込具本体４の前端から中間部分まで表面がなだらかな曲面で徐々に盛り上っており、吸込具本体４の中間部分から回転体５に接続した部分までは、高さがある丘部７が形成されている。
【００２５】
図３は、図２に示す吸込具２の平面図である。先ほど説明したように、本実施例の吸込具２は、吸込具本体４と、吸込具本体４の後方に回転可能に接続された回転体５と、回転体５に対して回転可能に遊嵌された延長管接続部６と、を有している。
【００２６】
図４は、吸込具２の底面図である。吸込具本体４の略中央には塵埃を吸込むための吸込口９が形成されている。
【００２７】
図５は、吸込具２の斜視図である。この吸込具２の吸込具本体４は、長手方向に約１６ｃｍ、短手方向に約６ｃｍの長さである。また、この吸込具本体４の長手方向における後方の一端面から吸込具２の内側に向けて約２ｃｍの長さ分窪みが設けられており、この窪み部分に回転体５が配置されている。尚、この窪み部分を本実施例では、回転体配置空間１０と称している。また、これらの長さは一例であり異なる長さで設計することも可能である。
【００２８】
この回転体配置空間１０の下方にある吸込具本体４部分には、断面が曲面である第１凹部１１が形成されており、この第１凹部１１の左右両側には、台座部１２が形成されている。この回転体５は、丘部７の後端部分で回転可能に吸込具本体４に接続されている。
【００２９】
また、回転体５の側面は曲面となっており、回転体５は第１凹部１１上を滑るよう、或いは第１凹部１１との間に僅かな隙間を有して回転可能となっている。即ち、回転体５は、吸込具本体４の短手方向に回転可能であり、図５の矢印Ａの方向から矢印Ｂの方向、矢印Ｂの方向から矢印Ａの方向へと回転可能である。尚、この回転体５には延長管接続部６が回転可能に接続されているが、この延長管接続部６については後ほど詳細に説明する。尚、図５において、回転体配置空間１０には、延長管接続部６の一端が配置されているとも言える。
【００３０】
図６は、図５に示す吸込具２の回転体５を矢印Ｂ方向に回転させた状態を示す斜視図である。
【００３１】
図６に示すように、回転体５を矢印Ｂ方向に回転させると、延長管接続部６が一方の台座部１２（図６中、吸込具２の奥に存在する台座部１２）に当接し、回転体５のＢ方向への回転が規制されている。
【００３２】
図７は、図５に示す吸込具２の回転体５を矢印Ａ方向に回転させた状態を示す斜視図である。
【００３３】
図７に示すように、回転体５を矢印Ａ方向に回転させると、延長管接続部６が他方の台座部１２（図７中、吸込具２の手前に存在する台座部１２）に当接し、回転体５のＡ方向への回転が規制されている。
【００３４】
このように、回転体５は、図６に示す状態から図７に示す状態まで、及び図７に示す状態から図６に示す状態まで、約１８０度の角度の範囲で回転する。即ち、回転体５は、吸込具２の長手方向に延在する軸を軸にして、吸込具本体４に接続されており、この軸を支点として吸込具２の短手方向に約１８０度の角度の範囲で回転するものである。
【００３５】
本実施例の回転体５は、図８に示すように回転体５の後方（図８に示す矢印Ｄ方向）から回転体５の前方（図８に示す矢印Ｃ方向）まで開口した、回転体開口部８が形成されており、一方、延長管接続部６の先端部分（延長管接続部６の吸込具本体４側の部分）は略半球状となっている。尚、延長管接続部６の先端部分は略球状となっていても良い。
【００３６】
回転体５の内部は、延長管接続部６の先端の略半球状の部分が遊嵌可能なように空間が形成されており、本実施例では、この空間部分を第２凹部１３と称している。
【００３７】
延長管接続部６の先端は、この第２凹部１３に遊嵌しているため、延長管接続部６は、吸込具２の長手方向、即ち、図８に示す矢印Ｃから矢印Ｄの方向、及び矢印Ｄから矢印Ｃの方向、に回転可能である。
【００３８】
尚、この延長管接続部６の先端は、回転体５の第２凹部１３に遊嵌されているが、延長管接続部６の先端は、回転体５に対して回転可能に接続されていれば、他の構成とすることもできる。
【００３９】
延長管接続部６を図８に示す矢印Ｃ方向に回転させると、図５に示すように、延長管接続部６が吸込具本体４に対して略９０度の角度の状態になる。延長管接続部６の側面が、回転体開口部８の端部に当接し、延長管接続部６が吸込具本体４に対して略９０度の角度
以上、図８中矢印Ｃ方向に回転することを規制している。
【００４０】
一方、延長管接続部６を図８に示す矢印Ｄ方向に回転させると、図８に示すように、延長管接続部６が吸込具本体４に対して略１４０度の角度（床面に対して約４０度の角度）の状態になる。延長管接続部６の側面が、回転体５の後方側に設けられた回転体開口部８の端部に当接し、延長管接続部６が吸込具本体４に対して略１４０度の角度以上、図８中矢印Ｄ方向に回転することを規制している。
【００４１】
尚、本実施例では、延長管接続部６が吸込具本体４に対して略１４０度の角度（床面に対して約４０度の角度）以上矢印Ｄ方向に回転することを規制しているが、角度はこれに限定されず他の角度としても良い。
【００４２】
本実施例の吸込具とこの吸込具を備えた電気掃除機では、回転体５が回転体配置空間１０に配置されており、更に、回転体５には延長管接続部６が遊嵌されている構成であるため、使用者が把手部３を持って前方に押し出した際に、使用者の力が延長管１、延長管接続部６、回転体５、吸込具本体４へと確実に伝わるため、使用者は、吸込具２を前方に押し出し易い構成となっている。換言すれば、本実施例装置は、使用者にとって、掃除し易い電気掃除機であると言える。
【００４３】
尚、回転体５が吸込具本体４の後方部分上面上を摺動する構成であれば、使用者の力が回転体５から吸込具本体４の後方部分上面上に確実に伝達するが、回転体５が吸込具本体４の後方部分上面と僅かな隙間を有している場合には、少なくとも回転体５が樹脂等の多少なりとも弾性を有している材料であれば、或いは回転体５と吸込具本体４との接続部分に多少なりとも遊びがあれば、使用者が把手部３を押した際に、回転体５が吸込具本体４の後方部分上面と接触し、使用者の力が確実に吸込具本体４に伝わることができる。
【００４４】
また、回転体５は吸込具本体４上、より具体的には回転体配置空間１０下方に存在する吸込具本体４により支えられているため、使用者が把手部３を持って掃除する際に、延長管接続部６と吸込具本体４との接続部分に過度な力が加わり、破損するといった事態を極力回避することができる。
【００４５】
本実施例の吸込具とこの吸込具を備えた電気掃除機は以下の効果も有している。
【００４６】
吸込具本体４の後方部分から、回転体５が後方に突出していない構成であるために美的外観に優れている。
【００４７】
また、延長管接続部６を吸込具２の長手方向、即ち、図８に示す矢印Ｃ〜矢印Ｄの方向に回転できるだけでなく、延長管接続部６を吸込具２の短手方向、即ち、図７に示す矢印Ａ〜矢印Ｂの方向に回転できる。換言すれば、延長管接続部６を吸込具本体４に対して、吸込具２の長手方向と短手方向のいずれの方向にも回転することが可能であるため、使用者は、様々な方向に吸込具２を回転させて掃除を行うことができる。従って、使用者の電気掃除機の操作自由度が従来技術に比べ格段に向上したと言える。
【００４８】
また、吸込具本体４の略中央部分から先端に向けて、上面が滑らかな曲線となっている。この構成は、吸込具本体４上面が家具等に衝突した際に、家具を傷つけることをできるだけ回避することができるだけでなく、美的外観を向上させることに貢献している。また、このような形状であるために吸込具本体４を狭い場所に挿入することができる。
【００４９】
図９は、本実施例の吸込具２の断面図である。図９において、延長管接続部６の先端部分は略半球状になっており、この略半球状の部分が回転体５に遊嵌されている。このため
、延長管接続部６は回転体５に対して、吸込具本体４の長手方向に回転可能である。
【００５０】
また、回転体５の先端部分は凹凸形状の回転体嵌合部１４が形成されており、一方、吸込具２の回転体５の先端部分と接続される部分も、凹凸形状の吸込具嵌合部１５が形成されている。この回転体嵌合部１４と吸込具嵌合部１５は互いに回転可能に嵌合されている。このため、回転体５は吸込具本体４に対して、吸込具本体４の短手方向に回転可能である。
【００５１】
吸込具本体４の底面に形成された吸込口９と吸込具本体４内の流路１６と回転体５内部と延長管接続部６内部と、の空間は連通しているため、吸込口９から吸収された床面の塵埃は、これらの空間を通過した後に延長管１内部を通り、把手部３の集塵部へと集められる。
【００５２】
尚、吸込具本体４内の流路１６と回転体５内部と延長管接続部６内部のいずれかの位置に、塵埃を検出するための発光部と受光部を有するセンサ（所謂ゴミセンサ）を配置し、このセンサが塵埃を検知すると発光する例えばＬＥＤ（Ｌｉｇｈｔ  Ｅｍｉｔｔｉｎｇ  Ｄｉｏｄｅ）からなる発光部を吸込具本体４表面に設けても良い。
【００５３】
このような発光部を吸込具本体４の表面、例えば丘部７に設けることにより、使用者は吸込具本体４から塵埃が吸い取られているか否かを容易に認識することができる。
【００５４】
仮に、延長管１に発光部を設けた構造にすると、ゴミセンサと発光部を電気的に接続する必要があるため、吸込具本体４から延長管１までリード線等の構造を設ける必要になりコスト高になるが、本実施例装置ではリード線等の構造を設ける必要がないため、コストをかけなくても、使用者が吸込具本体４から塵埃が吸い取られているか否かを容易に認識することができる電気掃除機を提供することができる。
【００５５】
上述したゴミセンサは、発光部と受光部との間に塵埃が通過したことを検知するセンサに限らず、塵埃が衝突することを検知するセンサでも良い。
【００５６】
図１０は、本実施例装置である掃除機の側面図である。使用者が把手部３を持った状態で把手部３を図１０中矢印Ｅ方向に回転させると（把手部３を持った使用者から見て右側に回転させると）、図１１に示すように吸込具２も矢印Ｅ方向（把手部３を持った使用者から見て右側）に回転する。
【００５７】
一方、使用者が把手部３を持った状態で把手部３を図１０中矢印Ｆ方向に回転させると（把手部３を持った使用者から見て左側に回転させると）、図１２に示すように吸込具２も矢印Ｆ方向（把手部３を持った使用者から見て左側）に回転する。
【００５８】
このように、使用者が、把手部３を右側に回転させると吸込具２も右側に回転し、把手部３を左側に回転させると吸込具２も左側に回転するため、使用者は、把手部３を回転するだけで吸込具２を所望の方向に回転させることができる。次にこのような動作をより詳細に説明する。
【００５９】
まず、使用者が把手部３を持った状態で図１０中矢印Ｆ方向に回転させる際の動作についてより詳細に説明する。図１３〜図１５は、把手部３と吸込具２を左側（矢印Ｇ側）に回転させる際の吸込具２の動作を示す斜視図である。
【００６０】
図１３において、使用者が把手部３を左側に回転させると延長管接続部６も同様に左側（矢印Ｇ側）に回転する。すると、図１４に示すように、延長管接続部６の回転に伴い回
転体５が左側下方に向けて（矢印Ｈ方向に向けて）回転すると共に、延長管接続部６が回転体開口部８の端面に当接するように前方に向けて（矢印Ｉ方向に向けて）動く。その後、図１５に示すように、吸込具本体４と延長管接続部６が互いに略垂直な状態となり、換言すると、略Ｌ字状の状態となる。
【００６１】
このようにして、使用者が把手部３を左側に回転させると吸込具２も同様に左側に回転する。尚、使用者が把手部３を右側に回転させると吸込具２も同様に右側に回転するが、使用者が把手部３を左側に回転させる際と同様な動作を行うため、説明を省略する。
【００６２】
図１６は、把手部３の斜視図である。把手部３は、全体が例えばＡＢＳ樹脂、ＰＰ（ポリプロピレン）等で形成されており、先端には例えばアルミニウム合金からなる延長管１を接続するための延長管接続部６が形成されている。
【００６３】
通常使用者は、延長管接続部６に延長管１を接続することにより掃除を行うことができるが、延長管接続部６に何も接続しない状態で把手部３を所謂ハンディタイプの掃除機として使用することができる。或いは、使用者は、延長管接続部６にノズルを接続して使用することもできる。
【００６４】
図１６中、把手部３の上面側には操作部１７が配置されている。この操作部１７には、吸引モーターの駆動を開始又は停止するための電源ボタン１８や、電源部にまだ電力があるか否か、或いは充電中であるか否か等を示すための電源ランプ１９、集塵部の中が塵埃で満タンになったか否かを示すためのゴミ捨てランプ２０等が配置されている。
【００６５】
このように、操作部１７内には使用者からの入力操作を受け付ける入力部や使用者に電気掃除機の状態を示す為の表示部等が含まれているが、入力部だけ或いは表示部だけでも良い。また、入力部としてはボタンではなくタッチパネル等のデバイスを用いても良く、表示部としては液晶表示装置等のデバイスを用いても良い。
【００６６】
また、この操作部１７の周囲は把手部３の筐体表面から突出した操作突部２１が配置されており、操作部１７はこの操作突部２１に囲まれた形状となっている。この操作突部２１が存在することにより、使用者が誤って電源ボタン１８を押下することをできるだけ回避できるようにしている。
【００６７】
操作突部２１は、操作部１７の周囲に形成されていると説明したが、上述した電源ボタン１８の周囲に形成しても良い。例えば、使用者が入力操作するための入力部が電源ボタン１８のみである場合には、操作突部２１を電源ボタン１８の周囲のみに形成しても使用者の誤操作をできるだけ回避することができる。
【００６８】
操作部１７の左右両側にある把手部３表面には、夫々溝部２２が形成されている。この溝部２２は、把手部３の上下方向に延在しており、幅が約９ｍｍ、長さが約３６ｍｍ、深さが約２ｍｍである。尚、これらの数値はこの値に限定されず、他の数値としても良い。
【００６９】
使用者が掃除を行う際に、電気掃除機本体を前後左右様々な方向に動かそうとする、その際に把手部３に溝部２２が設けられていなければ、使用者が把手部３上で指を滑らせることになり、その結果、使用者の力が十分に電気掃除機本体に伝わらない可能性がある。
【００７０】
このような問題を回避するために、把手部３には溝部２２が形成されており、例えば使用者は図１７に示すように、この溝部２２に指を当てることにより、使用者が確実に把手部３を持つことができる。尚、先ほど使用者は溝部２２に指を当てると記載したが、より正確には、指の一部が溝部２２に嵌るあるいは食い込むといった表現が適切であろう。
【００７１】
尚、図１６、図１７において、把手部３の操作部１７が配置されている面を上面側、上面側と反対の面を下面（或いは裏面）、図１６紙面中、把手部３の右側を右側面、左側を左側面と称している。但し、使用者が掃除を行う際に把手部３を持った状態で、使用者から見ると、上述した右側面が左側、左側面が右側となる。
【００７２】
図１８は把手部３の断面図である。把手部３の前方から、集塵部２３、吸引風を発生させるための吸引モーター２４、主に吸引モーター２４を駆動させるための電源部２５、が配置されている。集塵部２３は布製或いは紙製で作られた集塵袋であり、電源部２５は例えばリチウムイオン電池からなる充電可能な二次電池である。尚、電源部２５は二次電池でなく充電不可能な一次電池でも良い。
【００７３】
操作部１７の下方には回路基板が配置されており、この回路基板は例えば上面側にキー押下検知用のパターンが形成され、裏面側には、レギュレーターやダイオード等を有する電源回路とそのパターン等が形成されている。電源部２５、回路基板、吸引モーター２４は、リード線等により電気的に接続されている。
【００７４】
尚、本実施例装置において、把手部３の内集塵部２３が配置されている部位を前方部２６、吸引モーター２４が配置されている部位を中間部２７、電源部２５が配置されている部位を後方部２８、と称している。
【００７５】
図１９は把手部３の平面図である。図１９に示すように、操作部１７は２つの溝部２２の間に形成されている。本実施例装置では、使用者が溝部２２を掴んだ際に誤って電源ボタン１８を押下することを回避するために、操作部１７の周囲に操作突部２１が形成されている。また、使用者が２つの溝部２２を夫々人差し指と親指で掴んだ際に、人差し指と親指との間に空間が形成される、この空間の中に丁度操作部１７が位置するため、電源ボタン１８が誤って操作されることを極力回避することができる。
【００７６】
図２０は把手部３の底面図である。図２０において、把手部３の底面には幅９ｍｍ、長さ２４ｍｍ、深さ４ｍｍの電源溝部３０が形成されている。また、この電源溝部３０の略中央部分には、電源アダプターの電源プラグ３３を挿入するための電源孔３１が形成されている。また、この電源溝部３０は、把手部３の左右両側面に形成された２つの溝部２２の間に形成されている。尚、この数値は一例であり、この値に限定されるものではなく、他の数値としても良い。
【００７７】
また、把手部３の先端には延長管接続部６が形成され、後端にはストラップや紐等を取り付けるためのストラップ取り付け部３２が形成されている。更に、把手部３の一方の側面には吸引モーター２４により発生した吸引風を外部に排気するための排気口２９が形成されている。
【００７８】
図２１は把手部３の斜視図である。図２１は、特に２つの溝部２２と電源溝部３０との位置関係を明確にするための図である。
【００７９】
図２１において、把手部３の延在する方向（前後方向）に仮想軸Ａが存在する。把手部３の左右両側面に形成された溝部２２は、この仮想軸Ａを基準として対照的な形状となっている。
【００８０】
また、図２１において、把手部３を切った断面に形成された円を仮想円Ｃとすると、２つの溝部２２と電源溝部３０とはこの仮想円Ｃ上に形成されている。
【００８１】
図２２は、図１９中左方向から見た把手部３の左側面図である。
【００８２】
図２２において、把手部３の側面（図１９中左側の側面）には排気口２９が形成されている。この位置に排気口２９が形成されているのは、右利きの使用者が把手部３を持って掃除を行う際に、排気口２９が使用者に向かないようにするためである。尚、使用者が右手で把手部３を持って掃除を行う際に、使用者から見て右方向に排気口２９が向くことになる。
【００８３】
図２３は、図１９中右方向から見た把手部３の右側面図である。
【００８４】
図２３に示すように、把手部３の上面には操作部１７が形成されており、側面には溝部２２が形成されており、底面には電源溝部３０が形成されている。また、把手部３の先端には延長管接続部６が形成されている。
【００８５】
図２４は、電気掃除機本体を壁等に立て掛けた際の側面図を示している。
【００８６】
図２４において、把手部３の後端を壁に付けると共に床面から壁に向けて電気掃除機本体を斜めにした状態にすると、把手部３の表面から凹となった形状である電源溝部３０に電源コード３４と接続された電源プラグ３３が挿入されているために、電源プラグ３３の背面が壁に当たることを回避することができる。尚、本実施例では、電源プラグ３３の高さは１５ｍｍ、電源溝部３０の深さは４ｍｍ、把手部３後端から電源溝部３０までの長さは１００ｍｍ、延長管１先端部分（吸込具２部分）から把手部３後端までの長さ、即ち電気掃除機の長さは９１０ｍｍである。尚、この数値は一例であり、この値に限定されるものではなく、他の数値としても良い。
【００８７】
図２５と図２６は、前方部２６を中間部２７から外した状態を示す斜視図である。
【００８８】
図２５と図２６において、前方部２６の内、中間部２７との接続部分には内壁３５が形成されており、その内壁３５には複数（例えば３つ）の嵌合突部３６が形成されている。また、この内壁３５には１つの孔部３７が形成されている。
【００８９】
尚、本実施例では内壁３５とは反対の面に外壁３８が形成されており、孔部３７はこの内壁３５と外壁３８を貫くように形成されている。一方、嵌合突部３６は内壁３５のみに形成されている。
【００９０】
また、本実施例では嵌合突部３６を３つ形成する構造としたが、３つに限定されるものではなく、嵌合突部３６の数を変えても良い。
【００９１】
また、本実施例では孔部３７を横に広がった略長方形の断面としたが、断面の形状はこれに限定されず、円形、正方形等他の形状としても良い。
【００９２】
図２７と図２８は、中間部２７から前方部２６を外した状態での、中間部２７と後方部２８を示した斜視図である。
【００９３】
図２７と図２８に示すように、中間部２７の前方部２６と接続する部分には側壁３９が形成されており、この側壁３９には複数（例えば３つ）の嵌合溝４０が形成されている。この嵌合溝４０は略Ｌ字状の形状をしており、前方部２６の嵌合突部３６が嵌合される。
【００９４】
また、側壁３９には１つの突部４１が形成されており、この突部４１は側壁３９内部に形成された弾性部材（例えばスプリングであり、図示せず）により側壁３９外方へと付勢
されている。突部４１は前方部２６に形成された孔部３７と嵌合する。
【００９５】
前方部２６を中間部２７に接続する方法について説明する。まず、前方部２６の嵌合突部３６を中間部２７の嵌合溝４０に挿入する。この時、中間部２７の突部４１は前方部２６の内壁３５により押されて弾性体の弾性力に抗して側壁３９側に移動する。
【００９６】
次に嵌合突部３６を側壁３９の円周に沿って伸びている嵌合溝４０に沿って、側壁３９の円周方向にスライドさせる。即ち、使用者は前方部２６を中間部２７に被せた状態で、前方部２６を時計周りに回転させる。すると、前方部２６の嵌合突部３６は中間部２７の嵌合溝４０の先端部分に当接すると共に、中間部２７の突部４１が前方部２６に形成された孔部３７から突出し、嵌合突部３６が嵌合溝４０に嵌合すると共に、突部４１が孔部３７に嵌合する。このようにして、前方部２６が中間部２７に接続される。
【００９７】
一方、前方部２６を中間部２７から外す際には、使用者は突部４１を押し込むと共に前方部２６を反時計周りに回転させることにより、前方部２６を中間部２７から外すことができる。
【００９８】
図２８、図２９に示すように、後方部２８の後端には紐やストラップ等を通すためのストラップ取り付け部３２が形成されている。
（本実施例のとりえる他の実施形態）
上述した実施例は当業者が実施可能な最良の形態であるが、以下のように実施することも考えられる。
【００９９】
本実施例の吸込具２は、回転体５が回転体配置空間１０で回転する構成としたが、回転体５と延長管接続部６を一体構成とし、延長管接続部６と共に回転体５が回転する構成とすることも考えられる。或いは、延長管接続部６が回転体５を介さずに直接吸込具本体４に接続する構成も考えられる。
【０１００】
本実施例の吸込具２では、回転体５は吸込具２の長手方向を軸にするように、吸込具本体４に接続されている構成としてが、例えば回転体５の側面（回転体５の吸込具本体４側の側面）に略球体状の突出部分を設け、その突出部分を吸込具本体４の吸込口９分に遊嵌させる構成も考えられる。
【０１０１】
本実施例では、延長管接続部６を図８に示す矢印Ｃ方向に回転させると、図５に示すように、延長管接続部６が吸込具本体４に対して略９０度の角度の状態になる。延長管接続部６の側面が、回転体開口部８の端部に当接し、延長管接続部６が吸込具本体４に対して略９０度の角度以上、図８中矢印Ｃ方向に回転することを規制しているが、この角度は９０度に限定されるものではなく、他の角度になるようにしても良い。この角度の調整は、例えば、回転体開口部８の端部の位置を変更することにより調整することができる。
【０１０２】
また本実施例では、延長管接続部６が吸込具本体４に対して略１４０度の角度（床面に対して約４０度の角度）以上矢印Ｄ方向に回転することを規制しているが、角度はこれに限定されず、例えば、延長管接続部６が吸込具本体４に対して略１８０度の角度まで回転する構成としても良く、他の角度としても良い。この角度の調整は、例えば、回転体開口部８の端部の位置を変更することにより調整することができる。
【産業上の利用可能性】
【０１０３】
本発明の電気掃除機は、家庭用の電気掃除機、或いはオフィスや工場等で使用される業務用の電気掃除機等広く利用することができる。
【符号の説明】
【０１０４】
１  延長管
２  吸込具
３  把手部
４  吸込具本体
５  回転体
６  延長管接続部
７  丘部
８  回転体開口部
９  吸込口
１０  回転体配置空間
１１  第１凹部
１２  台座部
１３  第２凹部
１４  回転体嵌合部
１５  吸込具嵌合部
１６  流路
１７  操作部
１８  電源ボタン
１９  電源ランプ
２０  ゴミ捨てランプ
２１  操作突部
２２  溝部
２３  集塵部
２４  吸引モーター
２５  電源部
２６  前方部
２７  中間部
２８  後方部
２９  排気口
３０  電源溝部
３１  電源孔
３２  ストラップ取り付け部
３３  電源プラグ
３４  電源コード
３５  内壁
３６  嵌合突部
３７  孔部
３８  外壁
３９  側壁
４０  嵌合溝
４１  突部
【図１】
2020081060.tif 000003
【図２】
2020081060.tif 000004
【図３】
2020081060.tif 000005
【図４】
2020081060.tif 000006
【図５】
2020081060.tif 000007
【図６】
2020081060.tif 000008
【図７】
2020081060.tif 000009
【図８】
2020081060.tif 000010
【図９】
2020081060.tif 000011
【図１０】
2020081060.tif 000012
【図１１】
2020081060.tif 000013
【図１２】
2020081060.tif 000014
【図１３】
2020081060.tif 000015
【図１４】
2020081060.tif 000016
【図１５】
2020081060.tif 000017
【図１６】
2020081060.tif 000018
【図１７】
2020081060.tif 000019
【図１８】
2020081060.tif 000020
【図１９】
2020081060.tif 000021
【図２０】
2020081060.tif 000022
【図２１】
2020081060.tif 000023
【図２２】
2020081060.tif 000024
【図２３】
2020081060.tif 000025
【図２４】
2020081060.tif 000026
【図２５】
2020081060.tif 000027
【図２６】
2020081060.tif 000028
【図２７】
2020081060.tif 000029
【図２８】
2020081060.tif 000030
【図２９】
2020081060.tif 000031